(57)【要約】      （修正有）【課題】消火設備の収容庫に用いられる表示灯において、輸送や運搬コストの低減と設置後の人や物の移動領域の拡大の実現のみならず、表示灯としての視認性を向上することが可能な表示灯を提供する。【解決手段】表示灯１０は、収容庫における前面の扉部１０２の平面領域が備える表示灯である。加えて、この表示灯１０は、前述の平面領域に略平行な方向に向かうとともに互いに異なる方向に向いて発光する複数の第１発光部１２・・・１２と、その平面領域に略垂直な方向に向いて発光する１つ又は複数の第２発光部１３・・・１３と、その平面領域から１ｍｍ以上１５ｍｍ以下の長さが突出する、第１発光部１２・・・１２及び第２発光部１３・・・１３を覆う透光性の蓋体１６と、その第１発光部１２・・・１２からの発光を正面視において遮光する遮光体１４とを備える。【選択図】図２
2012098486.tif 000002
【特許請求の範囲】
【請求項１】
収容庫における前面の平面領域が備える表示灯であって、
前記収容庫の側方を含む前記平面領域に略平行な方向に向かうとともに互いに異なる方向に向いて発光する複数の第１発光部と、
前記平面領域に略垂直な方向に向いて発光する１つ又は複数の第２発光部と、
前記平面領域から１ｍｍ以上１５ｍｍ以下の長さが突出する、前記第１発光部及び前記第２発光部を覆う透光性の蓋体と、
前記第１発光部からの発光を正面視において遮光する遮光体と、を備える、
表示灯。
【請求項２】
収容庫における前面の平面領域が備える表示灯であって、
前記収容庫の側方を含む前記平面領域に略平行な方向に向かうとともに互いに異なる方向に向いて発光する複数の第１発光部と、
前記平面領域に略垂直な方向に向いて発光する１つ又は複数の第２発光部と、
前記平面領域から１ｍｍ以上１５ｍｍ以下の長さが突出する、前記第１発光部及び前記第２発光部を覆う蓋体と、を備え、
正面視において前記蓋体が備える遮光部によって前記第１発光部からの光が遮光され、かつ、正面視において前記蓋体が備える透光部を前記第２発光部からの光が通過する、
表示灯。
【請求項３】
前記蓋体が、前記平面領域からの突出長さが１５ｍｍ以下の略球面又は楕球面の一部の凸部を備える、
請求項１又は請求項２に記載の表示灯。
【請求項４】
前記第２発光部が配置された基板の前記蓋体に対向する面が、光反射面をさらに備える、
請求項１乃至請求項３のいずれか１項に記載の表示灯。
【請求項５】
請求項１乃至請求項４のいずれか１項に記載の表示灯を備える
消火設備。
【請求項６】
収容庫における前面の平面領域が備える表示灯による表示方法であって、
前記収容庫の側方を含む前記平面領域に略平行な方向に向かうとともに互いに異なる方向に向いた複数の第１発光部を、正面視において遮光するように、前記平面領域から１ｍｍ以上１５ｍｍ以下の長さが突出させた蓋体を介して発光させ、かつ
前記蓋体を介して、前記平面領域に略垂直な方向に向いて１つ又は複数の第２発光部を発光させる、
表示方法。
【請求項７】
前記蓋体が、前記平面領域からの突出長さが１５ｍｍ以下の略球面又は楕球面の一部の凸部を備える、
請求項６に記載の表示方法。
【請求項８】
前記第２発光部が配置された基板の前記蓋体に対向する面により、前記第２発光部からの光を反射させる、
請求項６又は請求項７に記載の表示方法。
【発明の詳細な説明】
【技術分野】
【０００１】
本発明は、表示灯及びそれを備えた消火設備、並びに表示方法に関するものである。
【背景技術】
【０００２】
表示灯は、一般的に、特定物の存在及びその位置を周囲の人に知らせる重要な役割を果たすものである。斜視図である図１７Ａ及び断面図である図１７Ｂに示すように、従来の表示灯９１０は、例えば、消火栓等の消火設備９００に用いられる収容庫（以下、単に「収容庫」という。）９０４の前面にある扉部９０２の正面からかなり突出するように設けられる。通常、表示灯９１０は釣鐘状であり、常時赤色に点灯する。また、我が国では、表示灯９１０は、図１８に示すように、それが設置された面（平面）に対して１５°以上となる角度の範囲において、１０ｍ離れた場所から容易に視認できるように配置されている。
【０００３】
他方、上述の表示灯９１０とは異なり、収容庫９０４の正面から突出しない状態と正面から突出した状態とを摺動するガイドを取り付けている表示灯も過去に提案されている（特許文献１を参照）。この表示灯（警告灯）は、消火栓格納箱の前面側のパネルの平面から突出しないが、複数の一様に並べられたＬＥＤからの光により、その平面に対して１５°以上となる角度の範囲において、１０ｍ離れた場所から視認できると記載されている。
【先行技術文献】
【特許文献】
【０００４】
【特許文献１】特開２００９−４５４１９号公報
【発明の概要】
【発明が解決しようとする課題】
【０００５】
従来から採用されている釣鐘状の表示灯９１０の突出は、例えば、消火設備の製造過程における部品の輸送や運搬コストを引き上げてきた経緯がある。具体的には、従来の表示灯９１０を、例えば、収容庫１０４に備え付けた態様では、数多く密集させて配置すると、損壊のリスクもあるため、輸送や運搬には不適である。したがって、表示灯９１０を収容庫９０４から取り外した後に輸送や運搬がされるため、その作業時間、作業コスト、及び輸送コストが上がってしまうことになる。加えて、表示灯９１０の突出は、例えば収容庫９０４が設置された場所によっては人や物が移動する際の邪魔になることもしばしば見受けられる。
【０００６】
しかし、上述のような課題はあっても、従来の表示灯９１０が広く一般的に用いられているのが現状である。これは、表示灯は上述の役割を果たすために、正面からのみならず、側方に近い方向からであっても確実に認識されるように配置されなければならないからである。しかしながら、側方に近い位置に加えて、完全な側方（つまり、上述の表現を借りれば、図１９に示すように、当該平面に対して０°の方向）からの視認性を確保しつつ、正面からの突出を可能な限り低減して表示灯Ｌを配置する手段は、本願出願人の知るかぎり未だ見出されていない。
【課題を解決するための手段】
【０００７】
本発明は、上述の技術課題を解決することにより、輸送や運搬コストの低減と設置後の人や物の移動領域の拡大の実現のみならず、表示灯としての視認性の更なる向上に大きく貢献するものである。
【０００８】
本願発明者は、表示灯が周囲よりこれまで以上に視認され易くするためには、その表示灯が配置されている収容庫の前面の正面からの視認性と収容庫の側方からの視認性とを区別して対策することが適切であると考え、鋭意研究と開発を行った。さらに、発明者は、表示灯としての本来の機能を果たすためには、理想的には、上述のような完全な側方からの視認性を確保することが重要であると考え、従来の表示灯に要求されていた視認性を超える表示灯の研究にも精力的に取り組んだ結果、新たな構造を見出した。本発明は、そのような視点に基づいて創出された。
【０００９】
本発明の１つの表示灯は、収容庫における前面の平面領域が備える表示灯である。加えて、この表示灯は、前述の収容庫の側方を含む前述の平面領域に略平行な方向に向かうとともに互いに異なる方向に向いて発光する複数の第１発光部と、その平面領域に略垂直な方向に向いて発光する１つ又は複数の第２発光部と、その平面領域から１ｍｍ以上１５ｍｍ以下の長さが突出する、前述の第１発光部及び第２発光部を覆う透光性の蓋体と、その第１発光部からの発光を正面視において遮光する遮光体とを備える。
【００１０】
この表示灯によれば、上述の遮光体の存在よって収容庫の側方を含む上述の平面領域に略平行な方向に向いた発光という役割を担う第１発光部と、その平面領域に略垂直な方向に向いて発光させることによって透光性の蓋体から光を通過させて正面視から視認させる役割を担う第２発光部との役割分担が実現されている。したがって、この表示灯によれば、その収容庫の完全な側方から見たときであっても確度高くその表示灯の存在を認識しうる。また、蓋体の突出する長さが限定されているため、設置後の人や物の移動領域を拡大できるのみならず、輸送や運搬コストの低減が実現できる。
【００１１】
また、本発明のもう１つの表示灯は、収容庫における前面の平面領域が備える表示灯である。加えて、この表示灯は、前述の収容庫の側方を含む前述の平面領域に略平行な方向に向かうとともに互いに異なる方向に向いて発光する複数の第１発光部と、その平面領域に略垂直な方向に向いて発光する１つ又は複数の第２発光部と、その平面領域から１ｍｍ以上１５ｍｍ以下の長さが突出する、前述の第１発光部及び第２発光部を覆う蓋体とを備えている。さらに、正面視において前述の蓋体が備える遮光部によってその第１発光部からの光が遮光され、かつ、正面視においてその蓋体が備える透光部をその第２発光部からの光が通過する。
【００１２】
この表示灯によれば、上述の蓋体の遮光部の存在よって収容庫の側方を含む上述の平面領域に略平行な方向に向いた発光という役割を担う第１発光部と、その平面領域に略垂直な方向に向いて発光させることによって蓋体の透光部から光を通過させて正面視から視認させる役割を担う第２発光部との役割分担が実現されている。したがって、この表示灯によれば、その収容庫の完全な側方から見たときであっても確度高くその表示灯の存在を認識しうる。また、蓋体の突出する長さが限定されているため、設置後の人や物の移動領域を拡大できるのみならず、輸送や運搬コストの低減が実現できる。
【００１３】
また、本発明の１つの表示方法は、収容庫における前面の平面領域が備える表示灯による表示方法である。加えて、この表示方法は、前述の収容庫の側方を含む前述の平面領域に略平行な方向に向かうとともに互いに異なる方向に向いた複数の第１発光部を、正面視において遮光するように、その平面領域から１ｍｍ以上１５ｍｍ以下の長さが突出させた蓋体を介して発光させ、かつその蓋体を介して、前述の平面領域に略垂直な方向に向いて１つ又は複数の第２発光部を発光させる。
【００１４】
この表示方法によれば、正面視において遮光するように蓋体を介して発光させる役割を担う第１発光体と、その蓋体を介して、前述の平面領域に略垂直な方向に向いて発光させる第２発光部との役割分担が実現されている。したがって、この表示灯によれば、その収容庫の完全な側方から見たときであっても確度高くその表示灯の存在を認識しうる。また、蓋体の突出する長さが限定されているため、その表示方法が採用されると、収容庫が設置された後の人や物の移動に対して邪魔にならない表示が可能となる。
【００１５】
ところで、本出願において「第１発光部」とは、それ自体が発光する装置のみを示すものではなく、その発光する装置に加えて、その装置を補助してその発光された光の方向を変える器具（例えば、ミラーやプリズム）を含めたものを示す。
【発明の効果】
【００１６】
本発明の１つの表示灯によれば、収容庫の完全な側方から見たときであっても確度高くその表示灯の存在を認識しうる。また、蓋体の突出する長さが限定されているため、設置後の人や物の移動領域を拡大できるのみならず、輸送や運搬コストの低減が実現できる。したがって、特に上述の表示灯を備える消火設備は、その存在場所を表示する能力に優れるとともに、その設置後の人や物の移動領域を拡大と、輸送や運搬コストの低減とを実現することができる。
【００１７】
また、本発明の１つの表示方法によれば、収容庫の完全な側方から見たときであっても確度高くその表示灯の存在を認識しうる。また、蓋体の突出する長さが限定されているため、その表示方法が採用されると、収容庫が設置された後の人や物の移動に対して邪魔にならない表示が可能となる。
【図面の簡単な説明】
【００１８】
【図１】本発明の第１の実施形態における消火設備の斜視図である。
【図２】図１のＡ−Ａ断面図である。
【図３】本発明の第１の実施形態における表示灯の正面図である。
【図４】本発明の第２の実施形態における図２に対応する断面図である。
【図５】本発明の第３の実施形態における図２に対応する断面図である。
【図６】本発明の第４の実施形態における図２に対応する断面図である。
【図７】本発明の第５の実施形態における図２に対応する断面図である。
【図８】本発明の第６の実施形態における図２に対応する断面図である。
【図９】本発明の第６の実施形態における図３に対応する正面図である。
【図１０】本発明の第７の実施形態における図２に対応する断面図である。
【図１１】本発明の第７の実施形態における図３に対応する正面図である。
【図１２】本発明の第８の実施形態における図２に対応する断面図である。
【図１３】本発明の第９の実施形態における図２に対応する断面図である。
【図１４】本発明のその他の実施形態における図３に対応する正面図である。
【図１５】本発明のその他の実施形態における消火設備の斜視図である。
【図１６】本発明のその他の実施形態における図３に対応する正面図である。
【図１７Ａ】従来の消火設備の斜視図である。
【図１７Ｂ】従来の消火設備の断面図である。
【図１８】従来の表示灯の可視領域を示す説明図である。
【図１９】理想的な表示灯の可視領域を示す説明図である。
【発明を実施するための形態】
【００１９】
本発明の実施形態を、添付する図面に基づいて詳細に述べる。なお、この説明に際し、全図にわたり、特に言及がない限り、共通する部分には共通する参照符号が付されている。また、図中、本実施形態の要素は必ずしも互いの縮尺を保って記載されるものではない。さらに、各図面を見やすくするために、一部の符号が省略され得る。
【００２０】
＜第１の実施形態＞
図１は、本実施形態における消火設備１００の斜視図である。また、図２は、図１におけるＡ−Ａ断面図である。さらに、図３は、本実施形態における表示灯１０の正面図である。
【００２１】
本実施形態の消火設備１００は、図１に示すように、いわゆる移動式消火設備が収容される収容庫１０４を備える。この収容庫１０４は、その前面に、ヒンジを介して開閉可能に収容庫１０４の側板に取り付けられた扉部１０２を備える。また、扉部１０２は、平板状であって、表示灯１０及び開閉するための突出が殆どない把手１０６を備えている。なお、本実施形態において、収容庫１０４の前面に正対して図１のＸ方向から見ることを正面視とする。
【００２２】
次に、表示灯１０について詳しく見ると、図２及び図３に示すように、円盤状の基板１１の周辺領域上に４つの第１発光部１２・・・１２としての発光ダイオード（以下、ＬＥＤという。）と、基板１１の略中央部に３つの第２発光部１３・・・１３としてのＬＥＤとが配置されている。また、本実施形態では、第１発光部１２・・・１２と第２発光部１３・・・１３とは、扉部１０２から突出する位置に配置されている。ここで、本実施形態の第１発光部１２・・・１２は、その発光が、収容庫１０４の扉部１０２の平面に略平行な方向に向かうとともに互いに異なる方向に向いて発光する。より具体的には、本実施形態の第１発光部１２・・・１２が向いている方向は、図３に示すように収容庫１０４の側方を含むとともに、互いに９０°異なっている。一方、本実施形態の第２発光部１３・・・１３が向いている方向は、扉部１０２の平面に略垂直である。
【００２３】
また、本実施形態では、上述の基板１１が、第１発光部１２・・・１２及び第２発光部１３・・・１３の端子台１８とともに、樹脂製の本体部１５内に埋め込まれている。なお、上述のとおり、第１発光部１２・・・１２である複数のＬＥＤは、扉部１０２の平面に略平行な方向に向かっていることを分かり易くする説明するため、簡略化された端子１２ａが基板１１に到るように描かれている。また、本実施形態では、透光性の蓋体１６が、基板１１及び本体部１５を露出させないように覆っている。加えて、図２及び図３に示すように、蓋体１６の内壁上の一部（外周領域）には、正面視において第１発光部１２・・・１２からの光を遮光するように、遮光体１４が形成されている。したがって、第１発光部１２・・・１２は、実質的に収容庫１０４の側方を含む扉部１０２の平面に略平行な方向への発光を担い、第２発光部１３・・・１３は、正面視において視認されるための発光を担うことになる。
【００２４】
ところで、本実施形態の蓋体１６には、公知のガラス又は、アクリル樹脂やポリカーボネートに代表される透光性樹脂が適用され得る。また、遮光体１４は、公知の塗膜又は成膜プロセスによって形成される遮光性の膜（例えば、カーボンブラック、酸化チタン、酸化鉄、クロム等を含む膜）が適用され得る。なお、本実施形態の表示灯１０は、消火設備１００用として設置されているため、通常、蓋体１６は完全に透明ではなく、赤色に着色されている。また、本実施形態の１つの変形例として、遮光体１４が蓋体１６の内壁上に形成される代わりに、独立した部品として配置されることも採用可能な一つの例である。
【００２５】
加えて、図２に示すように、本実施形態の表示灯１０は、収容庫１０４の前面の扉部１０２から長さＰだけ突出している。ここで、長さＰは、少なくとも収容庫１０４の側方（本実施形態では、図１のＸ方向に垂直なＹ方向）から表示灯１０が容易に視認されるだけの長さを有している。この長さが短すぎると（あるいは、扉部１０２内に埋め込まれていると）、側方（特に、完全な側方）からの視認が困難又は不可能になるためである。さらに、長さＰは、消火設備１００の設置後に、人や物の移動領域を従来と比較して拡大できる長さであるとともに、特に扉部１０２の輸送や運搬時に扉部１０２から表示灯１０を取り外す又は分解する作業が不要となる程度の長さである。実際には、表示灯を外す作業は単に手間が掛かるだけでなく、取扱いを誤ると破損の可能性もある。他方、従来の表示灯を付設したままで扉部を輸送又は搬送することは、一度に運ぶ量を大幅に制限することになるとともに、この場合も表示等の破損の可能性が高まる。したがって、前述のような長さを採用することは、実務上において非常に有効である。上述の複数の観点から、本実施形態の表示灯１０の突出長さＰは、１ｍｍ以上１５ｍｍ以下に設定される。なお、上述の複数の観点から、さらに好ましい表示灯１０の突出長さＰは、５ｍｍ以上１０ｍｍ以下である。
【００２６】
上述のとおり、本実施形態の表示灯１０は、収容庫１０４の前面の扉部１０２から長さＰだけ突出し、それぞれが異なる役割を果たすように配置された第１発光部１２・・・１２と第２発光部１３・・・１３とを備えている。その結果、例えば、収容庫１０４の完全な側方から見たときであっても確度高くその表示灯１０の存在を認識しうる。また、蓋体１６の突出する長さが限定されているため、消火設備１００を設置した後の人や物の移動領域を拡大できるのみならず、扉部１０２を含む消火設備１００の輸送や運搬コストの低減が実現できる。
【００２７】
＜第２の実施形態＞
図４は、本実施形態の表示灯２０の断面図であり、第１の実施形態の図２に相当する図面である。本実施形態では、第１の実施形態の表示灯１０の遮光体１４及び蓋体１６が変更された点を除き、第１の実施形態の表示灯１０、消火設備１００、及びその表示方法と同様である。従って、第１の実施形態と重複する説明は省略され得る。
【００２８】
本実施形態の表示灯２０は、第１の実施形態の表示灯１０の遮光体１４の代わりに、蓋体１６の外周領域に形成された遮光部１６ｃが採用されている。すなわち、第１の実施形態の表示灯１０とは異なり、蓋体１６自身が透光部１６ａと遮光部１６ｃとを備えている。本実施形態の蓋体１６は、遮光性樹脂と透光性樹脂とを用いた２色の樹脂成形技術を用いることにより形成され得る。なお、図４に示すように、本実施形態の蓋体１６の遮光部１６ｃは、第１の実施形態の表示灯１０の遮光体１４よりも少し広い範囲を遮光している。具体的には、遮光部１６ｃは、正面視において第１発光部１２・・・１２のみならず、それらの支持部及び端子１２ａの一部をも覆っている。
【００２９】
上述のとおり、本実施形態の表示灯２０は、第１の実施形態の表示灯１０とは異なり、蓋体１６自身が遮光部１６ｃを備えている。しかしながら、本実施形態の表示灯２０も、収容庫１０４の側方を含む扉部１０２の平面に略平行な方向に向いた発光という役割を担う第１発光部１２・・・１２と、その平面に略垂直な方向に向いて発光させることによって蓋体１６の透光部１６ａから光を通過させて正面視から視認させる役割を担う第２発光部１３・・・１３との役割分担が実現されている。したがって、この表示灯２０によれば、収容庫１０４の完全な側方から見たときであっても確度高く表示灯２０の存在を認識しうる。また、蓋体１６の突出する長さが限定されているため、消火設備が設置された後の人や物の移動領域を拡大できるのみならず、輸送や運搬コストの低減が実現できる。換言すれば、本実施形態の表示方法が採用されると、収容庫１０４が設置された後の人や物の移動に対して邪魔にならない表示が可能となる。
【００３０】
＜第３の実施形態＞
図５は、本実施形態の表示灯３０の断面図であり、第１の実施形態の図２に相当する図面である。本実施形態では、第１の実施形態の表示灯１０が備える構造に加えて、反射面１９が基板１１上に形成されている点を除き、第１の実施形態の表示灯１０、消火設備１００、及びその表示方法と同様である。従って、第１の実施形態と重複する説明は省略され得る。
【００３１】
本実施形態の表示灯３０は、上述のとおり、第１の実施形態の表示灯１０の反射面１９が基板１１上に形成されている。この反射面１９は、公知の反射面を形成し得る材料（例えば、アルミニウム）が適宜パターニングされることによって形成され得る。その結果、第２発光部１３・・・１３からの光の幾分かが反射面１９によって反射し、透光性の蓋体１６を介して外部に至ることになるため、第１の実施形態と表示灯１０に比べて効率的な発光が実現できる。
【００３２】
＜第４の実施形態＞
図６は、本実施形態の表示灯４０の断面図であり、第１の実施形態の図２に相当する図面である。本実施形態では、第１の実施形態の表示灯１０が備える蓋体１６の代わりに、凸状の曲面を備えた蓋体１７が用いられている点を除き、第１の実施形態の表示灯１０、消火設備１００、及びその表示方法と同様である。従って、第１の実施形態と重複する説明は省略され得る。
【００３３】
本実施形態の蓋体１７は、透光性であり、第１発光部１２・・・１２を覆う平坦領域１７ｂと、第２発光部１３・・・１３を主として覆う凸状の曲面領域１７ａとを有している。また、平坦領域１７ｂの内壁上には、正面視において第１発光部１２・・・１２からの光を遮光するように、遮光体１４が形成されている。したがって、第１発光部１２・・・１２は、実質的に収容庫１０４の側方を含む扉部１０２の平面に略平行な方向への発光を担い、第２発光部１３・・・１３は、正面視において視認されるための発光を担うことになる。
【００３４】
特に、本実施形態では、第２発光部１３・・・１３からの光を拡散させるように、蓋体１７が曲面領域１７ａを有しているため、第２発光部１３・・・１３の発光時には、正面視における表示灯４０の視認性が向上する。なお、本実施形態の曲面領域１７ａは、前述の観点から形成された略球面又は楕球面である。また、正面視における視認性をさらに高める観点から、曲面領域１７ａの内面を、例えばブラスト処理することによって光散乱面に変えることは好ましい。
【００３５】
加えて、本実施形態における蓋体１７の曲面領域１７ａの扉部１０２からの突出長さ（図６の長さＱ）は、２ｍｍ以上１５ｍｍ以下である。したがって、蓋体１７の突出する長さが限定されているため、消火設備を設置した後の人や物の移動領域を拡大できるのみならず、扉部１０２を含む消火設備の輸送や運搬コストの低減が実現できる。換言すれば、本実施形態の表示方法が採用されると、収容庫１０４が設置された後の人や物の移動に対して邪魔にならない表示が可能となる。なお、上述の観点から言えば、さらに好ましい表示灯１０の突出長さＱは、６ｍｍ以上１１ｍｍ以下である。
【００３６】
＜第５の実施形態＞
図７は、本実施形態の表示灯５０の断面図であり、第１の実施形態の図２に相当する図面である。本実施形態では、第４の実施形態の表示灯４０の遮光体１４及び蓋体１７が変更された点を除き、第４の実施形態と表示灯４０と同様である。従って、第１及び第４の実施形態と重複する説明は省略され得る。
【００３７】
本実施形態の表示灯５０は、第４の実施形態の表示灯４０の遮光体１４の代わりに、蓋体１７の平面領域に形成された遮光部１７ｃが採用されている。すなわち、第４の実施形態の表示灯４０とは異なり、蓋体１７自身が透光部１７ａと遮光部１７ｃとを備えている。本実施形態の蓋体１７も、第２の実施形態と同様に、遮光性樹脂と透光性樹脂とを用いた２色の樹脂成形技術を用いることにより形成され得る。なお、本実施形態における蓋体１７の曲面領域１７ａの扉部１０２からの突出長さも、第４の実施形態における突出長さと同じである。
【００３８】
上述のとおり、本実施形態の表示灯５０は、第４の実施形態の表示灯４０とは異なり、蓋体１７自身が遮光部１７ｃを備えている。しかしながら、本実施形態の表示灯５０も、収容庫１０４の側方を含む扉部１０２の平面に略平行な方向に向いた発光という役割を担う第１発光部１２・・・１２と、その平面に略垂直な方向に向いて発光させることによって蓋体１７の透光部１７ａから光を通過させて正面視から視認させる役割を担う第２発光部１３・・・１３との役割分担が実現されている。したがって、この表示灯５０によれば、収容庫１０４の完全な側方から見たときであっても確度高く表示灯５０の存在を認識しうる。また、蓋体１７の突出する長さが限定されているため、消火設備が設置された後の人や物の移動領域を拡大できるのみならず、輸送や運搬コストの低減が実現できる。換言すれば、本実施形態の表示方法が採用されると、収容庫１０４が設置された後の人や物の移動に対して邪魔にならない表示が可能となる。
【００３９】
＜第６の実施形態＞
図８は、本実施形態の表示灯６０の断面図であり、第１の実施形態の図２に相当する図面である。また、図９は、本実施形態における表示灯６０の正面図である。本実施形態では、第１の実施形態の表示灯１０の第２発光部１３の位置及び数が変更された点を除き、第１の実施形態と表示灯１０と同様である。従って、第１の実施形態と重複する説明は省略され得る。
【００４０】
本実施形態では、図８及び図９に示すように、第２発光部１３が略中央に１つだけ配置されている。このような表示灯６０であっても、第２発光部１３が所定の距離（例えば、表示灯から１０ｍは慣れた場所）から視認できる程度の十分な明るさを有する限り、第１の実施形態と表示灯１０と同等の効果が奏され得る。すなわち、第２発光部１３としてのＬＥＤの数は、複数の場合のみならず、１つの場合であってもよい。
【００４１】
＜第７の実施形態＞
図１０は、本実施形態の表示灯７０の断面図であり、第１の実施形態の図２に相当する図面である。また、図１１は、本実施形態における表示灯７０の正面図である。本実施形態では、第１の実施形態の表示灯１０の第２発光部１３・・・１３の位置が変更された点を除き、第１の実施形態と表示灯１０と同様である。従って、第１の実施形態と重複する説明は省略され得る。
【００４２】
本実施形態では、図１０及び図１１示すように、第２発光部１３が第１の実施形態の第２発光部１３・・・１３よりも外周側に配置されている。このような表示灯７０であっても、第２発光部１３・・・１３が所定の距離（例えば、表示灯から１０ｍは慣れた場所）から視認できる程度の十分な明るさを有する限り、第１の実施形態と表示灯１０と同等の効果が奏され得る。すなわち、第２発光部１３としてのＬＥＤの位置は、中央付近の場合のみに限定されない。
【００４３】
＜第８の実施形態＞
図１２は、本実施形態の表示灯８０の断面図であり、第１の実施形態の図２に相当する図面である。
【００４４】
本実施形態では、ＬＥＤ８１２・・・８１２及び第２発光部１３・・・１３が、扉部１０２から突出していない。一方、本実施形態の透光性の蓋体１６は、第１の実施形態の表示灯１０と同じ長さだけ扉部１０２から突出している。また、本実施形態の第２発光部１３・・・１３の正面視における配置は、第１の実施形態における第２発光部１３・・・１３の配置と同様である。
【００４５】
ここで、ＬＥＤ８１２・・・８１２が向いている方向は、第２発光部１３・・・１３と同様に、扉部１０２の平面に略垂直である。しかしながら、ＬＥＤ８１２・・・８１２からの光の方向を扉部１０２の平面に略平行な方向に向かわせるとともに互いに異なる方向に向かわせるようにミラー８１２ｂ・・・８１２ｂが配置されている。したがって、本実施形態では、ＬＥＤ８１２・・・８１２とミラー８１２ｂ・・・８１２ｂとが一体となって、第１発光部１２ｚ・・・１２ｚが形成されている。加えて、本実施形態の表示灯７０蓋体１６の内壁上の一部（外周領域）に、正面視においてＬＥＤ８１２・・・８１２からの光を遮光するように、遮光体１４が形成されている。
【００４６】
上述のとおり、第１発光部１２ｚ・・・１２ｚのＬＥＤ８１２・・・８１２自身が扉部１０２から突出するように配置されていない場合であっても、例えば、本実施形態のようなミラー８１２ｂ・・・８１２ｂを配置することによって、第１発光部１２ｚ・・・１２ｚは、ＬＥＤ８１２・・・８１２からの発光を扉部１０２の平面に略平行な方向に向かわせる役割を担うことができる。一方、第２発光部１３・・・１３は、第１の実施形態と同様に、扉部１０２の平面に略垂直な方向に向いて発光することにより、正面視から視認させる役割を担うことができる。
【００４７】
したがって、本実施形態の表示灯８０によれば、収容庫１０４の完全な側方から見たときであっても確度高くその表示灯８０の存在を認識しうる。また、蓋体１６の突出する長さが限定されているため、消火設備を設置した後の人や物の移動領域を拡大できるのみならず、扉部１０２を含む消火設備の輸送や運搬コストの低減が実現できる。
【００４８】
＜第９の実施形態＞
図１３は、本実施形態の表示灯９０の断面図であり、第１の実施形態の図２に相当する図面である。
【００４９】
本実施形態では、本体部１５ａ及び基板１１ａが段差を備えた構造を有しているため、
第２発光部１３・・・１３が扉部１０２から突出していないが、第１発光部１２・・・１２は扉部１０２から突出している。また、本実施形態の透光性の蓋体１６は、第１の実施形態の表示灯１０と同じ長さだけ扉部１０２から突出している。また、本実施形態の第２発光部１３・・・１３の正面視における配置は、第１の実施形態における第２発光部１３・・・１３の配置と同様である。
【００５０】
上述のとおり、第２発光部１３・・・１３が扉部１０２から突出していない場合であっても、第１の実施形態と同様に、扉部１０２の平面に略垂直な方向に向いて発光することにより、正面視から視認させる役割を担うことができる。他方。第１発光部１２・・・１２は、第１の実施形態と同様に、扉部１０２の平面に略平行な方向に向かわせる役割を担うことができる。
【００５１】
したがって、本実施形態の表示灯９０によれば、収容庫１０４の完全な側方から見たときであっても確度高くその表示灯９０の存在を認識しうる。また、蓋体１６の突出する長さが限定されているため、消火設備を設置した後の人や物の移動領域を拡大できるのみならず、扉部１０２を含む消火設備の輸送や運搬コストの低減が実現できる。
【００５２】
＜その他の実施形態＞
ところで、上述の各実施形態では、遮光体１４又は遮光部１６ｃ，１７ｃが採用されているが、これらの遮光性は、略完全に光の透過を遮断するものに限定されない。例えば、遮光性がそれほど高くない材料又は膜厚を有する遮光体が、遮光体１４又は遮光部１６ｃ，１７ｃに代わって適用されることも、採用可能な一つの例である。例えば、半透明の遮光体又は遮光部が採用されれば、収容庫１０４の側方を含む扉部１０２の平面に略平行な方向に向いた発光が実質的に実現するといえる。
【００５３】
また、第４の実施形態で述べたとおり、上述の各実施形態における蓋体１６，１７の透光性を有する領域の内面を、例えばブラスト処理することによって光散乱面に変えることは、正面視における視認性を均質化させて高める観点から、他の好ましい一態様である。
【００５４】
また、上述の各実施形態では表示灯が４つの第１発光部１２・・・１２を備えていたが、第１発光部の数は４つに限定されない。例えば、図１４に示す表示灯９２のように、収容庫１０４の側方への発光を担う２つの第１発光部１２，１２が配置される例も、上述の各実施形態の変形例として採用され得る。さらに、上述の各実施形態では表示灯が最大で３つの第２発光部１３を備えていたが、第２発光部の数は、４つ以上であっても良い。正面視における視認性の向上の観点から、多数の第２発光部を備えることも好適な一態様である。
【００５５】
また、上述の各実施形態では扉部１０２が一様な平面を有していたが、扉部１０２の代わりに、図１５に示す、本願出願人が特開２０１０−１７８９３１において提案した移動式消火設備２００の扉部２０４が採用されても、上述の各実施形態の表示灯の効果は実質的に妨げられない。この移動式消火設備２００は、従来の移動式消火設備が備える器具に加えて可搬式消火器も収容される。したがって、移動式消火設備２００の扉部２０４は、平面領域に加えて、可搬式消火器を収容する収容部２０８が有する曲面領域も備えている。このような消火設備が上述の各実施形態の表示灯を備えることも、他の変形例としての一態様である。
【００５６】
また、上述の各実施形態では、遮光体１４又は遮光部１６ｃ，１７ｃが切れ目のないドーナツ状に形成されていたが、その形状に限定されない。例えば、遮光体１４又は遮光部１６ｃ，１７ｃが、図１６に示す表示灯９４のように、一部が切れているドーナツ形状であっても上述の各実施形態の少なくとも一部の効果が奏され得る。但し、その遮光性を十分に発揮させるためには、図１６の例で言えば、第１発光部１２・・・１２が配置された位置を中心に、２０°以上の領域（図１６のαの角度、但し、図中の破線は説明の便宜上のもの。）で遮光体１４又は遮光部１６ｃ，１７ｃが形成されることが好ましい。
【００５７】
加えて、上述の各実施形態では、第１発光部１２及び第２発光部１３としてＬＥＤが採用されているが、発光装置はＬＥＤに限定されない。例えば、公知の電球であっても、上述の各実施形態に適用され得る。しかしながら、長寿命、チラつきの無さ、及び低発熱性といった多くの利点を備えるＬＥＤを採用することが非常に好ましい。
【００５８】
さらに、上述の各実施形態では、表示灯が移動式消火設備の収容庫に適用される例を示してきたが、各実施形態の表示灯の適用例はこれに限定されない。例えば、消火設備でいえば、消火栓の収容庫や、屋内の代替消火栓としての、いわゆるパッケージ型の消火設備の収容庫に適用されることも、他の好ましい一態様である。なお、上述の各実施形態の表示灯は、特に消火設備に適したものではあるが、消火設備以外の収容庫にも適用されることにより、上述の各実施形態の効果が奏され得る。
【００５９】
なお、上述の各実施形態の開示は、それらの実施形態の説明のために記載したものであって、本発明を限定するために記載したものではない。加えて、各実施形態の他の組合せを含む本発明の範囲内に存在する変形例もまた、特許請求の範囲に含まれるものである。
【産業上の利用可能性】
【００６０】
本発明の表示灯及び表示方法は、特定物の存在及びその位置を周囲の人に確度高く知らせることができ、その輸送や運搬コストの低減を実現できため、非常に有用である。特に、本発明の表示灯及び表示方法が消火設備に適用されることは、消火設備の緊急性に代表される当該設備に対する社会的要請を踏まえると、極めて有用である。
【符号の説明】
【００６１】
１１，１１ａ    基板
１２，１２ｚ      第１発光部
１２ａ    端子
１３      第２発光部
１４      遮光体
１５，１５ａ    本体部
１６，１７    蓋体
１６ａ    透光部
１６ｂ    遮光部
１７ａ    曲面領域
１７ｂ    平坦領域
１８      端子台
１９      反射面
１０，２０，３０，４０，５０，６０，７０，８０，９０，９２，９４    表示灯
１００，２００    移動式消火設備
１０４      収容庫
１０６      把手
２０４      扉部
２０８      収容部
８１２      ＬＥＤ
８１２ｂ    ミラー
９００      消火設備
９１０      従来の表示灯
【図１】
2012098486.tif 000003
【図２】
2012098486.tif 000004
【図３】
2012098486.tif 000005
【図４】
2012098486.tif 000006
【図５】
2012098486.tif 000007
【図６】
2012098486.tif 000008
【図７】
2012098486.tif 000009
【図８】
2012098486.tif 000010
【図９】
2012098486.tif 000011
【図１０】
2012098486.tif 000012
【図１１】
2012098486.tif 000013
【図１２】
2012098486.tif 000014
【図１３】
2012098486.tif 000015
【図１４】
2012098486.tif 000016
【図１５】
2012098486.tif 000017
【図１６】
2012098486.tif 000018
【図１７Ａ】
2012098486.tif 000019
【図１７Ｂ】
2012098486.tif 000020
【図１８】
2012098486.tif 000021
【図１９】
2012098486.tif 000022